(57)【要約】【課題】従来の移動体通信システムでは、無線リソースが逼迫したときの無線リソースを確保することが困難であり、また、無線リソース確保と呼切断処理回避とを同時に行うことができない。【解決手段】無線基地局制御装置１２は各無線基地局１３〜１６から送られた無線リソースの状態がある閾値を越えた場合、無線リソースが逼迫したと判断して、ダイバーシティハンドオーバ制御部１７から全無線回線の無線品質情報の読み出しを行い、１台の移動体端末１１で３つ以上の無線回線１８〜２１を有するマクロダイバーシティ状態の通信に対して、無線品質が良好な回線を最大所定本数まで残し、残りの無線回線の切断処理を順次実行する。同期はずれ等により使用不能になっていない無線回線であっても、無線品質が劣化していると判断された無線回線は、無線リソース確保のための切断対象とする。【選択図】            図１
2004363979.tif 000002
【特許請求の範囲】
【請求項１】
各々固有のサービスエリアを有する複数の無線基地局と、該複数の無線基地局のうち最寄りの無線基地局のサービスエリア内で該基地局と無線回線を介して無線通信する移動体端末と、前記複数の無線基地局を制御する無線リソースの管理を行うと共に、前記複数の無線基地局からの無線リソース使用状況報告とダイバーシティハンドオーバ制御部からの無線回線品質情報から必要に応じて、品質の劣化している無線回線を特定し解放する機能を有する無線基地局制御装置とを備えた構成の移動体通信システムであって、
前記ダイバーシティハンドオーバ制御部は、複数の前記無線回線を介してマクロダイバーシティ状態の前記移動体端末から複数の前記無線基地局へ送信された上り方向のデータを受信し、受信した該上り方向のデータのうち最も品質の良い上り方向のデータだけを選択する選択合成機能と、下り方向のデータを複数の前記無線基地局へ複製して分配する複製分配機能と、前記上り方向のデータの無線品質を無線回線単位で監視する機能を有し、
複数の前記無線基地局の各々は、前記移動体端末から受信したデータに無線品質情報を付加して前記上り方向のデータとして前記ダイバーシティハンドオーバ制御部へ送信する送信手段を有し、
前記無線基地局制御装置は、複数の前記無線基地局から送られた無線リソースの状態が所定の第１の閾値を越えたときに、前記ダイバーシティハンドオーバ制御部から全無線回線の前記無線品質情報の読み出しを行い、マクロダイバーシティ状態の前記移動体端末の複数の前記無線回線に対して、無線品質が良好な無線回線を最大無線回線制限数の最小値まで残し、残りの無線回線の切断処理を順次実行することを特徴とする移動体通信システム。
【請求項２】
前記ダイバーシティハンドオーバ制御部は、前記無線基地局からのデータに付与された前記無線品質情報を受信する毎に、該無線品質情報を保持し、所定期間での無線品質情報の変化を平均化し、無線回線毎の品質を管理することを特徴とする請求項１記載の移動体通信システム。
【請求項３】
前記無線基地局制御装置は、無線回線数制限時に前記移動体端末が無線回線制限数を越える新規無線回線の確立を行おうとした場合は新たな無線回線の確立を拒否し、無線回線数制限実施中のハンドオーバについては、ハンドオーバ時のみ無線回線制限数＋１の無線回線数を許容し、ハンドオーバ先の無線回線確立後に、最も品質の劣化している無線回線の切断を実行することを特徴とする請求項１記載の移動体通信システム。
【請求項４】
前記無線基地局制御装置は、複数の前記無線基地局から送られた無線リソースの状態が無線回線数制限実施解除の第２の閾値を下回ったときは、無線回線制限数を一本増加させることを、無線リソース使用量が該第２の閾値を上回るか、無線回線制限数が有効無線回線数の最大値になるまで、一定時間毎に繰り返すことを特徴とする請求項１記載の移動体通信システム。
【請求項５】
前記無線品質情報は、前記無線回線上の通信品質を表す通信品質情報と所定の符号による照合結果の一方または両方を用いて表されることを特徴とする請求項１乃至４のうちいずれか一項記載の移動体通信システム。
【請求項６】
各々固有のサービスエリアを有する複数の無線基地局と、該複数の無線基地局のうち最寄りの無線基地局のサービスエリア内で該基地局と無線回線を介して無線通信する移動体端末と、前記複数の無線基地局を制御する無線リソースの管理を行うと共に、前記複数の無線基地局からの無線リソース使用状況報告とダイバーシティハンドオーバ制御部からの無線回線品質情報から必要に応じて、品質の劣化している無線回線を特定し解放する機能を有する無線基地局制御装置とを備えた構成の移動体通信システムであって、
前記移動体端末は、マクロダイバーシティ状態の複数の前記無線回線から受信した無線信号の感度から無線品質を計算・保持する機能を持つ無線信号受信部と、前記無線基地局制御装置からの切断可能な無線回線通知要求を受信したときに該無線信号受信部にて保持している値を基に無線品質が良好な無線回線を選び出して前記無線基地局制御装置に対して通知する送受信手段とを有し、
前記複数の無線基地局は各々、無線リソースが不足しているかどうかをチェックし、不足しているようであれば前記無線基地局制御装置にその情報を通知する通知手段を有し、
前記無線基地局制御装置は、前記複数の無線基地局から報告される無線リソース値が閾値を下回ったときに、該当の無線基地局のサービスエリア内にいる前記移動体端末に対して、前記切断可能な無線回線通知要求をし、該無線回線通知要求に応答した前記移動体端末から前記無線品質が良好な無線回線の通知を受け、その通知された内容を基に切断する無線回線を判断し、無線品質が良好な無線回線を最大無線回線制限数の最小値まで残し、残りの無線回線の切断処理を順次実行することを特徴とする移動体通信システム。
【請求項７】
前記無線基地局制御装置は、無線回線数制限時に前記移動体端末が無線回線制限数を越える新規無線回線の確立を行おうとした場合は新たな無線回線の確立を拒否し、無線回線数制限実施中のハンドオーバについては、ハンドオーバ時のみ無線回線制限数＋１の無線回線数を許容し、ハンドオーバ先の無線回線確立後に、最も品質の劣化している無線回線の切断を実行することを特徴とする請求項６記載の移動体通信システム。
【発明の詳細な説明】
【０００１】
【発明の属する技術分野】
本発明は移動体通信システムに係り、特に所定の場合にハンドオーバを行う時分割多元接続（ＣＤＭＡ：Ｃｏｄｅ  Ｄｉｖｉｓｉｏｎ  Ｍｕｌｔｉｐｌｅ  Ａｃｃｅｓｓ）方式の移動体通信システムに関する。
【０００２】
【従来の技術】
各々固有のサービスエリアを有する複数の無線基地局と、最寄りの基地局のサービスエリア内で該基地局と無線通信する移動体端末と、複数の無線基地局を制御する無線基地局制御装置とを備え、複数の移動体端末に通信サービスを提供する移動体通信システムでは、各無線基地局における無線回線等の無線リソースは限られたものである。
【０００３】
このような移動体通信システムにおいて、無線リソースが許容量に近くなった場合、該当サービスエリアへ移動してきた移動体端末のための無線回線が確保できずに呼が切断されてしまったり、該当サービスエリアでの新たな発呼処理を行うことができなくなってしまう。そこで、無線リソースの有効利用を図るための移動体通信システムが従来より知られている（例えば、特許文献１参照）。
【０００４】
すなわち、特許文献１記載の従来の移動体通信システムでは、移動体通信システムを構成する通信装置（移動体端末）及び基地局通信装置（無線基地局）のそれぞれを、無線同期外れ状態の一定期間の継続及び装置内の異常が発生した後に一定期間の異常状態を監視し、異常監視出力に基づいてコネクションを制御してコネクションを装置自ら開放する構成により、不要なコネクションを開放することで、無線リソースの有効利用を図るようにしている。
【０００５】
【特許文献１】
特開２００１−３３３００７号公報（第２−３頁）
【０００６】
【発明が解決しようとする課題】
しかるに、上記の特許文献１記載の従来の移動体通信システムでは、無線同期外れ等、使用不能になった無線回線のみを切断しているため、無線リソースが逼迫したときの無線リソースを確保することが困難であり、また、無線リソース確保と呼切断処理回避とを同時に行うことができない。
【０００７】
本発明は以上の点に鑑みなされたもので、無線リソースが逼迫した時に、移動体端末が使用している無線回線を品質が劣化している回線から段階的に切断して品質の良い回線を予め決められた本数だけ残すことによって無線回線数を制限し、効率的な無線リソースの運用を可能とする移動体通信システムを提供することを目的とする。
【０００８】
また、本発明は上記の目的を達成するため、無線リソース確保と呼切断処理回避とを同時に行うことが可能な移動体通信システムを提供することにある。
【０００９】
【課題を解決するための手段】
本発明は上記の目的を達成するため、第１の発明の移動体通信システムは、各々固有のサービスエリアを有する複数の無線基地局と、複数の無線基地局のうち最寄りの無線基地局のサービスエリア内で基地局と無線回線を介して無線通信する移動体端末と、複数の無線基地局を制御する無線リソースの管理を行うと共に、複数の無線基地局からの無線リソース使用状況報告とダイバーシティハンドオーバ制御部からの無線回線品質情報から必要に応じて、品質の劣化している無線回線を特定し解放する機能を有する無線基地局制御装置とを備えた構成の移動体通信システムであって、ダイバーシティハンドオーバ制御部は、複数の無線回線を介してマクロダイバーシティ状態の移動体端末から複数の無線基地局へ送信された上り方向のデータを受信し、受信した上り方向のデータのうち最も品質の良い上り方向のデータだけを選択する選択合成機能と、下り方向のデータを複数の無線基地局へ複製して分配する複製分配機能と、上り方向のデータの無線品質を無線回線単位で監視する機能を有し、複数の無線基地局の各々は、移動体端末から受信したデータに無線品質情報を付加して上り方向のデータとしてダイバーシティハンドオーバ制御部へ送信する送信手段を有し、無線基地局制御装置は、複数の無線基地局から送られた無線リソースの状態が所定の第１の閾値を越えたときに、ダイバーシティハンドオーバ制御部から全無線回線の無線品質情報の読み出しを行い、マクロダイバーシティ状態の移動体端末の複数の無線回線に対して、無線品質が良好な無線回線を最大無線回線制限数の最小値まで残し、残りの無線回線の切断処理を順次実行することを特徴とする。
【００１０】
この発明では、無線基地局制御装置内のダイバーシティハンドオーバ制御部は、複数の無線回線を介してマクロダイバーシティ状態の移動体端末から複数の無線基地局へ送信された上り方向のデータの無線品質を無線回線単位で監視する機能を有し、無線基地局制御装置は、複数の無線基地局から送られた無線リソースの状態が所定の第１の閾値を越えたときに、ダイバーシティハンドオーバ制御部から全無線回線の無線品質情報の読み出しを行い、マクロダイバーシティ状態の移動体端末の複数の無線回線に対して、無線品質が良好な無線回線を最大無線回線制限数の最小値まで残し、残りの無線回線の切断処理を順次実行するようにしたため、同期はずれ等により使用不能になっていない無線回線であっても、無線品質が劣化していると判断された無線回線は切断処理が実行される。また、各移動体端末毎に確保する最低無線リソースの数（最大無線回線制限数の最小値）を設定して、その最低無線リソースの数は無線回線の切断処理は行わない。
【００１１】
また、上記の目的を達成するため、第２の発明の移動体通信システムは、第１の発明のダイバーシティハンドオーバ制御部を、無線基地局からのデータに付与された無線品質情報を受信する毎に、無線品質情報を保持し、所定期間での無線品質情報の変化を平均化し、無線回線毎の品質を管理する構成としたことを特徴とする。
【００１２】
また、上記の目的を達成するため、第３の発明の移動体通信システムは、第１の発明の無線基地局制御装置を、無線回線数制限時に移動体端末が無線回線制限数を越える新規無線回線の確立を行おうとした場合は新たな無線回線の確立を拒否し、無線回線数制限実施中のハンドオーバについては、ハンドオーバ時のみ無線回線制限数＋１の無線回線数を許容し、ハンドオーバ先の無線回線確立後に、最も品質の劣化している無線回線の切断を実行する構成としたことを特徴とする。
【００１３】
また、上記の目的を達成するため、第４の発明の移動体通信システムは、第１の発明の無線基地局制御装置を、複数の無線基地局から送られた無線リソースの状態が無線回線数制限実施解除の第２の閾値を下回ったときは、無線回線制限数を一本増加させることを、無線リソース使用量が第２の閾値を上回るか、無線回線制限数が有効無線回線数の最大値になるまで、一定時間毎に繰り返す構成としたことを特徴とする。この発明では、無線リソースの状態が無線回線数制限実施解除の第２の閾値を下回ったときは、無線回線制限数を一本増加させるようにしたため、無線品質が良好な無線回線をマクロダイバーシティ状態の移動体端末にできるだけ多く設定できるので、できるだけ高い通信品質を保つことができる。
【００１４】
また、上記の目的を達成するため、第５の発明の移動体通信システムは、第１乃至第４の発明における無線品質情報を、無線回線上の通信品質を表す通信品質情報と所定の符号による照合結果の一方または両方を用いて表すことを特徴とする。
【００１５】
また、上記の目的を達成するため、第６の発明の移動体通信システムは、各々固有のサービスエリアを有する複数の無線基地局と、複数の無線基地局のうち最寄りの無線基地局のサービスエリア内で基地局と無線回線を介して無線通信する移動体端末と、複数の無線基地局を制御する無線リソースの管理を行うと共に、複数の無線基地局からの無線リソース使用状況報告とダイバーシティハンドオーバ制御部からの無線回線品質情報から必要に応じて、品質の劣化している無線回線を特定し解放する機能を有する無線基地局制御装置とを備えた構成の移動体通信システムであって、移動体端末は、マクロダイバーシティ状態の複数の無線回線から受信した無線信号の感度から無線品質を計算・保持する機能を持つ無線信号受信部と、無線基地局制御装置からの切断可能な無線回線通知要求を受信したときに無線信号受信部にて保持している値を基に無線品質が良好な無線回線を選び出して無線基地局制御装置に対して通知する送受信手段とを有し、複数の無線基地局は各々、無線リソースが不足しているかどうかをチェックし、不足しているようであれば無線基地局制御装置にその情報を通知する通知手段を有し、無線基地局制御装置は、複数の無線基地局から報告される無線リソース値が閾値を下回ったときに、該当の無線基地局のサービスエリア内にいる移動体端末に対して、切断可能な無線回線通知要求をし、該無線回線通知要求に応答した移動体端末から無線品質が良好な無線回線の通知を受け、その通知された内容を基に切断する無線回線を判断し、無線品質が良好な無線回線を最大無線回線制限数の最小値まで残し、残りの無線回線の切断処理を順次実行することを特徴とする。
【００１６】
この発明では、マクロダイバーシティ状態の移動体端末が、複数の無線回線から受信した下り方向の無線信号の感度から無線品質を計算・保持する機能を持つ無線信号受信部を有しており、無線基地局制御装置が、複数の無線基地局から報告される無線リソース値が閾値を下回ったときに、該当の無線基地局のサービスエリア内にいる移動体端末に対して、切断可能な無線回線通知要求をし、これにより該当の移動体端末がその無線信号受信部にて保持している値を基に無線品質が良好な無線回線を選び出して無線基地局制御装置に対して通知することにより、無線基地局制御装置により無線品質が良好な無線回線を最大無線回線制限数の最小値まで残し、残りの無線回線の切断処理を順次実行させるようにしたため、同期はずれ等により使用不能になっていない無線回線であっても、無線品質が劣化していると判断された無線回線は切断処理が実行される。また、各移動体端末毎に確保する最低無線リソースの数（最大無線回線制限数の最小値）を設定して、その最低無線リソースの数は無線回線の切断処理は行わない。
【００１７】
また、上記の目的を達成するため、第７の発明は第６の発明の無線基地局制御装置を、無線回線数制限時に移動体端末が無線回線制限数を越える新規無線回線の確立を行おうとした場合は新たな無線回線の確立を拒否し、無線回線数制限実施中のハンドオーバについては、ハンドオーバ時のみ無線回線制限数＋１の無線回線数を許容し、ハンドオーバ先の無線回線確立後に、最も品質の劣化している無線回線の切断を実行する構成としたことを特徴とする。
【００１８】
【発明の実施の形態】
次に、本発明の実施の形態について図面と共に説明する。図１は本発明になる移動体通信システムの一実施の形態のシステム構成図を示す。同図に示す移動体通信システムは、ＣＤＭＡ方式の移動体通信システムで、最寄りの基地局のサービスエリア内で基地局と無線通信する移動体端末１１と、各々固有のサービスエリアＡ１、Ａ２、Ａ３及びＡ４を有する無線基地局１３、１４、１５及び１６と、無線基地局１３、１４、１５及び１６を制御する無線基地局制御装置１２とを備えた構成である。
【００１９】
移動体端末１１は、無線回線１８を介して無線基地局１３と、無線回線１９を介して無線基地局１４と、無線回線２０を介して無線基地局１５と、無線回線２１を介して無線基地局１６と、それぞれ接続される。無線基地局１３、１４、１５、１６はＩｕｂ回線２２、２３、２４、２５を介して、無線基地局制御装置１２内のダイバーシティハンドオーバ制御部１７と各々接続される。無線基地局１３、１４、１５、１６は、無線回線１８、１９、２０、２１を介して移動体端末１１と通信を行うと共に、無線リソースの使用状況を無線基地局制御装置１２に報告する機能を有する。
【００２０】
ダイバーシティハンドオーバ制御部１７は、無線回線１８、１９、２０、２１を介して移動体端末１１から送信された上り方向のデータを受信し、最も品質の良いデータだけを選択する選択合成機能と、下り方向のデータを各無線基地局１３、１４、１５、１６へ複製して分配する複製分配機能と、各無線回線１８、１９、２０、２１からの上り方向のデータの無線品質を無線回線単位で監視する機能を有する。
【００２１】
無線基地局制御装置１２は、無線リソースの管理を行うと共に、無線基地局１３、１４、１５、１６からの無線リソース使用状況報告とダイバーシティハンドオーバ制御部１７からの無線回線品質情報から必要に応じて、品質の劣化している無線回線を特定し解放する機能を有する。
【００２２】
次に、本実施の形態の動作について説明する。図１において、移動体端末１１は４台の無線基地局１３、１４、１５、１６とそれぞれ無線回線１８、１９、２０、２１を介して同時に接続された状態、すなわち、４本のマルチパスを持ったマクロダイバーシティ状態にある。なお、ここでは、一台の移動体端末１１が保有する事ができる無線回線数の最大値は「６」とし、無線回線制限数の最小値を「２」とする。
【００２３】
各無線基地局１３、１４、１５、１６は、移動体端末１１から受信したデータをフレームデータに変換し、Ｉｕｂ回線２２、２３、２４、２５を介して無線基地局制御装置１２内のダイバーシティハンドオーバ制御部１７へ送信する。この時、無線基地局１３、１４、１５、１６は、無線回線上の通信品質を表すＱＥ（Ｑｕａｌｉｔｙ  Ｅｓｔｉｍａｔｅ）情報と、ＣＲＣ符号による照合結果ＣＲＣＩ（ＣＲＣ  Ｉｎｄｉｃａｔｏｒ）をフレームデータに付加してダイバーシティハンドオーバ制御部１７へ送信する。
【００２４】
無線基地局制御装置１２のダイバーシティハンドオーバ制御部１７は、各無線基地局１３、１４、１５、１６からＩｕｂ回線２２、２３、２４、２５を介して送信されたフレームデータ及びＱＥ情報及びＣＲＣＩを受信し、最も通信品質の良いフレームデータのみ選択して合成し、上位ネットワーク側へ転送する。この時、ダイバーシティハンドオーバ制御部１７では各無線回線１８、１９、２０、２１毎の無線品質の監視を行う。
【００２５】
上記の無線品質の監視は、図３に示される無線回線毎の無線品質情報３３をもとに実施される。無線品質情報３３には、前述した無線回線上の通信品質を表すＱＥ情報と、ＣＲＣ符号による照合結果ＣＲＣＩがあり、これらをどのように用いて無線品質の判定を行ってもよい。ここではＱＥ情報を用いて無線品質を監視し、無線回線品質を判定する例を用いて記述する。
【００２６】
図３に示すように、移動体端末１１から無線基地局１３（又は１４、１５又は１６）ヘ上り方向の無線データ３１が送信され、無線基地局１３（又は１４、１５又は１６）はその無線データ３１をフレームデータ３２に変換し、これに無線品質情報３３を付加して無線基地局制御装置１２内のダイバーシティハンドオーバ制御部１７に送信する。
【００２７】
無線回線品質が劣化すると、無線データ３１を受信した無線基地局１３（又は１４、１５又は１６）によって無線品質情報３３にその内容が反映される。無線基地局制御装置１２内のダイバーシティハンドオーバ制御部１７では、無線基地局１３（又は１４、１５又は１６）からのフレームデータ３２に付与された無線品質情報３３を受信する毎に、無線品質情報を保持する。この無線品質情報は、任意の数だけ過去の情報を保持する事ができ、その期間での無線品質情報の変化を平均化し、無線回線毎の品質を管理する。
【００２８】
無線回線品質の計算方法は任意であるが、参考のためＱＥを用いた場合の計算結果を図４に示す。図４では、図３の無線品質情報３３に相当する無線品質情報ＩにＱＥを使用し、図３のダイバーシティハンドオーバ制御部１７にて計算された無線品質ＩＩをグラフ化している。縦軸はＱＥの値、横軸は受信したフレームの番号とする。ＱＥの値は小さい方が品質は良好とする。
【００２９】
図４において、ｎ番目に受信したフレームの無線品質情報ＩをＱＥｎ、ダイバーシティハンドオーバ制御部１７にて保持されている無線品質情報ＩＩの履歴の個数をｍ、計算された無線品質ＩＩをＭＡＱ（Ｍａｎａｇｅｍｅｎｔｅｄ  Ａｉｒ  Ｑｕａｌｉｔｙ）とした場合、ｎ番目の無線品質ＭＡＱｎを導き出す式は数１の通りとなる。
【００３０】
【数１】
2004363979.tif 000003
このように計算した無線品質ＭＡＱｎを使用することにより、一つのフレームの無線品質情報Ｉの急激な値の変化に対して冗長性を持たせる事ができ、瞬間的な無線品質情報の値の変動によって誤った判定が行われる事を防いでいる。この計算結果を用いて、ダイバーシティハンドオーバ制御部１７は、全ての無線回線の品質を監視する事ができる。
【００３１】
次に、図１の実施の形態において、無線リソース不足が発生した場合の無線回線切断処理について説明する。図１の各無線基地局１３、１４、１５、１６は無線リソースの使用状況について無線基地局制御装置１２に対して報告する。無線基地局制御装置１２は各無線基地局１３、１４、１５、１６から送られた無線リソースの状態がある閾値を越えた場合、無線リソースが逼迫したと判断して、ダイバーシティハンドオーバ制御部１７から全無線回線の無線品質情報の読み出しを行い、１台の移動体端末１１で３つ以上の無線回線１８、１９、２０、２１を有するマクロダイバーシティ状態の通信に対して、無線品質が良好な回線を最大２つまで残し、残りの無線回線の切断処理を順次実行する。
【００３２】
１台の移動体端末１１で２つの無線回線を持つ通信においても一方の無線回線の品質がある閾値以下であれば、この無線回線を切断してもよい。図１の実施の形態において、移動体端末１１と接続される、無線基地局１３への無線回線１８と無線基地局１５への無線回線２０の品質が良好で、無線基地局１４への無線回線１９と無線基地局１６への無線回線２１の品質が劣化していたものとすると、無線基地局制御装置１２は、無線回線１９と無線回線２１の切断処理を実行する。
【００３３】
また、無線回線数制限実施中のハンドオーバについては、ハンドオーバ時のみ最大、無線回線制限数＋１の無線回線数（ここでは、３つ）の無線回線を許容し、ハンドオーバ先の無線回線確立後に、最も品質の劣化している無線回線の切断を実行する。各無線基地局１３、１４、１５、１６からの無線リソース報告である閾値以上の空きが確認された場合は、このマクロダイバーシティ状態における無線回線数の制限を解除する。
【００３４】
次に、上記の無線リソース不足が発生した場合の無線回線切断処理について、図２と共に更に詳細に説明する。１台の移動体端末１１が２つ以上の無線基地局１３、１４、１５、１６との間で無線回線を同時に形成しているマクロダイバーシティ状態の通信において無線基地局制御装置１２は、各無線回線１８、１９、２０、２１の通信品質状態と、各無線基地局１３、１４、１５、１６から報告を受けた無線リソース状態を図２での使用無線リソース量１１１として監視する。
【００３５】
ここで、１１２を残無線リソース数が逼迫した事を示す閾値α、１１３を残無線リソース数に余裕ができた事を示す閾値β、無線基地局制御装置１２によって行われる無線回線制限数の最小値をａ、一つの移動体端末１１が持つことができる最大の無線回線数をｂとする。無線基地局からの無線リソース状況報告に応じて監視している使用無線リソース量１１１が閾値α（１１２）を上回った場合、無線基地局制御装置１２は無線回数制限を行い移動体端末１１が保持できる無線回線数を１つ減らし、マクロダイバーシティ状態の移動体端末１１が有する無線回線１８、１９、２０、２１のうち一番品質が劣化している無線回線の切断処理を実行する。
【００３６】
その後、無線基地局１３、１４、１５、１６から報告される無線リソース使用量１１１が閾値α（１１２）を一定時間下回らない場合、移動体端末１１が保持できる無線回線数を更に１つ減らし、その時点で移動体端末１１が有する無線回線のうち一番品質の劣化している無線回線の切断処理を実行することにより、再度無線回線数制限を行う。この処理は、無線リソース使用量１１１が閾値α（１１２）を下回るか、移動体端末１１の残無線回線数がａ本になるまで、無線基地局制御装置１２によって続けられる。
【００３７】
また、無線回線数制限時のソフトハンドオーバにおいても、ハンドオーバ先の無線回線確立後、無線リソース使用量１１１が閾値α（１１２）を上回り、既無線回線数がａ回線より多く存在する場合、無線基地局制御装置１２は無線リソース使用量１１１が閾値α（１１２）を下回るか移動体端末１１の残無線回線数がａ本になるまで、無線回線を一本ずつ切断していく。
【００３８】
また、無線回線数制限時に移動体端末１１が無線回線制限数を越える新規無線回線の確立を行おうとした場合においても、無線基地局制御装置１２は新たな無線回線の確立を拒否する。ただし、無線回線数制限実施中のハンドオーバについては、ハンドオーバ時のみ無線回線制限数＋１の無線回線数を許容し、ハンドオーバ先の無線回線確立後に、最も品質の劣化している無線回線の切断を実行する。
【００３９】
無線基地局制御装置１２は、監視している無線リソース使用量１１１が閾値β（１１３）を下回った時点で、移動体端末１１に対して行っている無線回線数削減処理を停止する。また、無線基地局制御装置１２は、無線リソース使用量１１１が無線回線数制限実施解除の閾値β（１１３）を下回った時点で、無線回線制限数を一本増加させる。その後、無線リソース使用量１１１が閾値β（１１３）を一定時間上回らなかった場合、無線基地局制御装置１２は無線回線制限数を再度一本増加させる。
【００４０】
この処理は、無線リソース使用量１１１が閾値β（１１３）を上回るか、無線回線制限数が有効無線回線数の最大値であるｂ本になるまで、無線基地局制御装置１２によって続けられる。
【００４１】
ＣＤＭＡ方式の移動体通信システムでマクロダイバーシティ状態にある移動体端末１１では、一本〜複数本の無線回線があれば通信に十分な品質が確保できるため、移動体端末一台あたりの無線回線使用数を制限することにより、品質を落とすことなく、柔軟な無線リソース配分が可能となり、無線リソースの逼迫を緩和する事が可能となる。
【００４２】
このように、本実施の形態によれば、無線基地局制御装置１２のダイバーシティハンドオーバ制御部１７が、各無線基地局１３、１４、１５、１６からＩｕｂ回線２２、２３、２４、２５を介して送信された無線品質情報３３に基づき、各無線回線１８、１９、２０、２１毎の無線品質の監視を継続的に行い、同期外れが発生していない無線回線でも無線品質が劣化していると判断された無線回線は無線リソース確保のための切断対象とすることにより、切断対象とする無線回線の候補をより多く持つことができ、無線リソースが逼迫したことを示す閾値αを超えたときの無線リソース確保を行うことが容易にできる。
【００４３】
また、本実施の形態では、各移動体端末毎に確保する最低無線リソースの数（無線回線制限数の最小値ａ）を設定しているため、すべての無線品質が悪いと判断されている移動体端末においても、その中で無線品質が良い無線回線を残すようにしているため、無線リソース確保と呼切断回避とを同時に行うことができる。
【００４４】
このような無線リソースの使用状況に応じたマクロダイバーシティ状態にある移動体端末１１の無線回線数制限を行うことにより、本実施の形態によれば、無線品質を確保しつつ、無線リソースの効率的な配分を行い、無線リソースの有効利用を実現させることができる。
【００４５】
次に、本発明の他の実施の形態について説明する。図５は本発明になる移動体通信システムの他の実施の形態のシステム構成図を示す。同図に示す移動体通信システムは、ＣＤＭＡ方式の移動体通信システムで、最寄りの基地局のサービスエリア内で該基地局と無線通信する移動体端末４１と、各々固有のサービスエリアＡ１、Ａ２、Ａ３及びＡ４を有する無線基地局４３、４４、４５及び４６と、無線基地局４３、４４、４５及び４６を制御する無線基地局制御装置４２とを備えた構成である。
【００４６】
無線基地局制御装置４２はダイバーシティハンドオーバ制御部４７を持ち、ダイバーシティハンドオーバ制御部４７と無線基地局４３、４４、４５、４６がそれぞれＩｕｂ回線で接続されている。移動体端末４１は、無線基地局４３と無線基地局４５のサービスエリアＡ１とＡ３内に在圏する。
【００４７】
ここで、本実施の形態は、移動体端末４１が、無線回線から下り方向の無線信号を受信し、受信した無線信号の感度から無線品質を計算・保持する機能を持つ無線信号受信部５６を実装している点に特徴がある。また、無線基地局４３、４４、４５、４６は、無線リソースが不足しているかどうかをチェックし、不足しているようであれば無線基地局制御装置４２にその情報を通知する機能を有する。
【００４８】
図５の実施の形態では、一台の移動体端末４１が保有する事ができる無線回線数の最大値は「６」とし、無線回線制限数の最小値を「２」とする。移動体端末４１は無線基地局４３、４４、４５、４６のサービスエリアＡ１、Ａ２、Ａ３、Ａ４の淵にて移動しており、図５の時点では移動体端末４１は無線基地局４３，４５のサービスエリアＡ１、Ａ３内に在圏している。無線基地局制御装置４２は、無線基地局４３、４５と、移動体端末４１が過去に通ったサービスエリアをカバーしている無線基地局４４、４６に対して、それぞれ図５の通りに計４本の無線回線用リソースを割り当てている。
【００４９】
この時、無線品質の閾値を下回る無線回線を良好、無線品質の閾値を上回る無線回線を劣化、と定義した場合、移動体端末４１が送受信する無線品質は、無線回線４８が最も良好となっており、無線回線５０は良好、無線回線４９は劣化が見られ、無線回線５１では著しく劣化しているものとする。移動体端末４１は、下りの無線データを受信する毎に、無線信号受信部５６にて無線品質を算出し、その結果を保持する。
【００５０】
無線基地局制御装置４２は、無線基地局４３、４４、４５、４６から報告される無線リソース値が閾値を下回った際に無線リソースが不足していると判断し、該当の無線基地局のサービスエリア内にいる移動体端末４１に対して切断可能な無線回線を通知するように要求する。
【００５１】
移動体端末４１はこの要求を受けると、無線信号受信部５６にて保持している値を基に無線品質が良好な無線回線２つを選び出し、無線基地局制御装置４２に対して通知する。無線基地局制御装置４２は、通知された内容を基に切断する無線回線を判断し、該当の無線回線を順次切断する。
【００５２】
図５の場合、無線リソースが不足しているある無線基地局が無線リソース不足通知を無線基地局制御装置４２に送信すると、無線基地局制御装置４２は無線回線４８、５０を保持して無線回線４９、５１を切断する処理を順次実行する。
【００５３】
前記図１の実施の形態では上り無線信号の品質を判断基準として無線回線の切断可否を判定していたが、図５の実施の形態は下り無線信号の品質を判断基準として無線回線の切断可否を判定するという違いがあるが、本実施の形態も図１の実施の形態と同様に無線リソースの使用状況に応じたマクロダイバーシティ状態にある移動体端末４１の無線回線数制限を行うことにより、無線品質を確保しつつ、無線リソースの効率的な配分を行い、無線リソースの有効利用を実現させることができる。
【００５４】
【発明の効果】
以上説明したように、本発明によれば、無線回線品質が劣化していることを継続的に監視し、同期はずれ等により使用不能になっていない無線回線であっても、無線品質が劣化していると判断された無線回線は、無線リソース確保のための切断対象とするようにしたため、切断対象とする無線回線の候補をより多く持つことができ、これにより無線リソースが逼迫したことを示す閾値を超えた場合の無線リソース確保を行うことが容易にできる。
【００５５】
また、本発明によれば、各移動体端末毎に確保する最低無線リソースの数を設定しているため、すべての無線品質が悪いと判断されている移動体端末でも、その中で無線品質の良い無線回線を残すことでリソース確保と呼切断回避とを同時に行うことができる。
【００５６】
更に、本発明によれば、マクロダイバーシティ状態における無線回線数の制限を実施することにより、無線リソース逼迫時に特定の移動体端末への無線リソースの集中が緩和でき、他の移動体端末に無線リソースを割り当てる事ができるようになるため、より多くの呼を受け付ける事が可能になり、また、無線回線を切断された移動体端末も、品質が良好な無線回線を無線回線制限数の最小値までは維持できるので、ある一定の通信品質を保つことができる。
【００５７】
また更に、ＣＤＭＡ方式の通信では隣接チャネルの送信電力が干渉電力となり品質劣化を招くため、劣化したチャネルは所要利得を得るために送信電力をあげ、それが隣接チャネルヘの干渉電力となり更に送信電力増加を招き、結果的に無線リソースを枯渇させる要因ともなっているが、本発明によれば、無線リソース逼迫時に無線回線数自体を削減するため、このような干渉電力の増加を軽減する事が期待できる。
【図面の簡単な説明】
【図１】本発明の一実施の形態のシステム構成図である。
【図２】図１の無線リソース不足が発生した場合の無線基地局制御装置による無線回線切断処理説明図である。
【図３】無線品質計算と保存の過程について示す図である。
【図４】無線品質計算のシミュレーション結果の一例を示す特性図である。
【図５】本発明の他の実施の形態のシステム構成図である。
【符号の説明】
１１、４１  移動体端末
１２、４２  無線基地局制御装置
１３〜１６、４３〜４６  無線基地局
１７、４７  ダイバーシティハンドオーバ制御部
１８〜２１、４８〜５１  無線回線
２２〜２５、５２〜５５  Ｉｕｂ回線
５６  無線信号受信部
【図１】
2004363979.tif 000004
【図２】
2004363979.tif 000005
【図３】
2004363979.tif 000006
【図４】
2004363979.tif 000007
【図５】
2004363979.tif 000008